(57)【要約】【課題】  法面にアンカーにより固定された丸太が、経年変化して細くなっても、アンカーから外れないようにする。【解決手段】  アンカー用補助金具１を、所定厚さの鉄板により形成し、基端部中央にＬ字形アンカー挿通用の孔２を穿設するとともに、先端部を略９０度折曲しその折曲部先端を鋭角形状に尖らせて楔部３を形成し、かつ前記孔２と前記楔部３との間であってＬ字形アンカーの頭部との当接部にアンカー頭部が嵌合される孔４を穿設する。前記アンカー頭部嵌合孔４の形状を、先端部側がアンカー頭部の径よりもやや大きい幅の長方形とし基端部側が前記幅より次第に狭くなるテーパー形状とし該テーパー形状の末端をテーパー形状に連続する半円形とする。【選択図】  図４
0003102740.tif 000002
【実用新案登録請求の範囲】
【請求項１】
所定厚さの金属板により形成され、基端部中央にＬ字形アンカー挿通用の孔を穿設するとともに、先端部を略９０度折曲しその折曲部先端を鋭角形状に尖らせて楔部を形成し、かつ前記孔と前記先端部との間であってＬ字形アンカーの頭部との当接部にアンカー頭部が嵌合される孔を穿設したことを特徴とする丸太を法面に固定するアンカー用補助金具。
【請求項２】
請求項２に記載の丸太を法面に固定するアンカー用補助金具において、
前記アンカー頭部嵌合孔の形状を、先端部側がアンカー頭部の径よりもやや大きい幅の長方形とし基端部側が前記幅より次第に狭くなるテーパー形状とし該テーパー形状末端をテーパー形状に連続する半円形としたことを特徴とする丸太を法面に固定するアンカー用補助金具。
【請求項３】
法面上の水平方向に丸太を載置する工程と、前記丸太が水平方向に載置された後に前記アンカー用補助金具を前記丸太の長手方向と直交させかつ前記金具先端を法面上方に向かせて前記丸太に前記楔部をやや斜め前方に傾けて打ち込む工程と、前記丸太に前記アンカー用補助金具の先端が打ち込まれた後に前記アンカー用補助金具のアンカー挿通用孔にアンカーの先端を挿通して前記丸太に接しながら法面に略垂直に打ち込む工程と、前記アンカーが法面に略打ち込まれた後に前記アンカーのＬ字形頭部の先端を前記アンカー用補助金具の頭部嵌合孔に嵌合させながら前記アンカーを打ち込む工程とを備えたことを特徴とする請求項１または２に記載の丸太を法面に固定するアンカー用補助金具の使用方法。
【考案の詳細な説明】
【技術分野】
【０００１】
本考案は、丸太を法面に固定する際に使用する、頭部がＬ字形に折曲されたアンカーに用いられる補助金具である。
【背景技術】
【０００２】
本出願人は、既に特許文献１に記載の「間伐丸太材を用いた植樹ラック形成法枠工法」を提案している。これは土地造成等により露出された法面に植樹するため、間伐丸太を縦横に組み合わせてアンカーにより法面に固定して、その丸太により形成された枠内に客土を盛り流出しないように支えていた。ここで用いられるアンカーは、鉄棒の頭部をＬ字形に曲げたものであり、Ｌ字形部分の２辺が丸太に当接することで、丸太が法面に固定される。
【特許文献１】特開平１１−３３６０８３号公報
【考案の開示】
【考案が解決しようとする課題】
【０００３】
ところで、法面にアンカーにより固定された丸太は、年月の経過とともに、乾燥や表面の風化等のため収縮して外径が小さくなる。すると、固定しているアンカーと丸太との間に隙間が生じて、丸太がアンカーから外れやすくなるという問題が発生する。丸太がアンカーから外れると、客土が流出することになるので、その対策が必要であった。そこで本考案は、丸太が経年により収縮しても、アンカーから外れることのないアンカー用補助金具を提案することを目的とした。
【課題を解決するための手段】
【０００４】
上記課題を解決するために、本考案に係る丸太を法面に固定するアンカー用補助金具は、所定厚さの金属板により形成され、基端部中央にＬ字形アンカー挿通用の孔を穿設するとともに、先端部を略９０度折曲しその折曲部先端を鋭角形状に尖らせて楔部を形成し、かつ前記孔と前記先端部との間であってＬ字形アンカーの頭部との当接部にアンカー頭部が嵌合される孔を穿設したことを特徴とする。ここで、前記アンカー頭部嵌合孔の形状を、先端部側がアンカー頭部の径よりもやや大きい幅の長方形とし基端部側が前記幅より次第に狭くなるテーパー形状とし該テーパー形状の末端をテーパー形状に連続する半円形としたことを特徴とする。
【０００５】
また、本考案に係る丸太を法面に固定するアンカー用補助金具の使用方法は、法面上の水平方向に丸太を載置する工程と、前記丸太が水平方向に載置された後に前記アンカー用補助金具を前記丸太の長手方向と直交させかつ前記金具先端を法面上方に向かせて前記丸太に前記楔部をやや斜め前方に傾けて打ち込む工程と、前記丸太に前記アンカー用補助金具の先端が打ち込まれた後に前記アンカー用補助金具のアンカー挿通用孔にアンカーの先端を挿通して前記丸太に接しながら法面に略垂直に打ち込む工程と、前記アンカーが法面に略打ち込まれた後に前記アンカーのＬ字形頭部の先端を前記アンカー用補助金具の頭部嵌合孔に嵌合させながら前記アンカーを打ち込む工程とを備えたことを特徴とする。
【考案の効果】
【０００６】
以上述べたように本考案によれば、丸太を法面に固定する際に、先にアンカー用補助金具の楔部を丸太に打ち込み、次いでアンカー用補助金具のアンカー挿通用孔にアンカーの先端を挿通してからアンカーを法面に略垂直に打ち込み、同時にアンカーのＬ字形頭部の先端をアンカー用補助金具の頭部嵌合孔に嵌合させることで、固定された丸太が経年により収縮しても、丸太はアンカー用補助金具を介してアンカーに固定されているので、アンカーから脱落することが防止され、客土も流出されることがなくなる。
【考案を実施するための最良の形態】
【０００７】
以下、図に基づいて本考案の実施形態を説明する。
図１は本考案に係るアンカー用補助金具の一例を示す平面図であり、図２は図１の左側面図であり、図３は図１のＡ−Ａ線断面図である。これらの図に示されるように、アンカー用補助金具１は、鉄板の基端部を略半円形にして先端部を鋭角三角形に切断するとともに、基端部中央にアンカー挿通用の孔２を穿設し、先端を９０度折曲して楔部３を形成する。この楔部３は使用の際に丸太に打ち込まれる部分となる。さらに、孔２と楔部３の中間でやや楔部３寄りの位置にアンカー頭部が嵌合される孔４を穿設する。
【０００８】
孔４は、先端部側がアンカー頭部の径よりもやや大きい幅の長方形とし、基端部側が前記幅より次第に狭くなるテーパー形状とし、該テーパー形状末端をテーパー形状に連続する半円形とした。使用される丸太は、通常直径が１００〜１２０ｍｍであり、その場合のアンカー用補助金具１は、板圧３ｍｍ、基端部の幅を５０ｍｍ、基端部から楔部３までの長さを１２０ｍｍ、楔部３の幅を２０ｍｍ高さを３５ｍｍ、アンカー挿通用の孔２の直径を２５ｍｍ、孔４は幅１０ｍｍ長さ２６ｍｍ程度の寸法とすることが好ましい。
【０００９】
図４は、上述したアンカー用補助金具１を用いて丸太を法面に固定した状態を示す断面図である。丸太５を法面Ｎに固定する場合は、最初に、法面Ｎ上に丸太５を水平方向に載置する。次いで、アンカー用補助金具１を丸太５の長手方向と直交させかつ金具１の先端を法面Ｎ上方に向かせて楔部３を斜め前方に打ち込む。次に、アンカー用補助金具１のアンカー挿通用の孔２にアンカー６の先端を挿通して丸太５に接するようにしながら法面Ｎに略垂直に打ち込む。
【００１０】
アンカー６が法面Ｎに略打ち込まれた後に、アンカー６のＬ字形頭部７の先端をアンカー用補助金具１の頭部嵌合用の孔４に嵌合させながらアンカー６を最後まで打ち込む。アンカー６の打ち込み後は、アンカー６のＬ字形頭部７に対して、アンカー用補助金具１は、若干反時計方向に傾いて保持されることになる。こうして、丸太５にアンカー用補助金具１が打ち込まれて固定され、アンカー用補助金具１の孔２にアンカー６が挿通されることで、丸太５が確実にアンカー６に固定されることになり、経年変化により丸太５の径が細くなっても、丸太５がアンカー６から外れることが防止される。
【産業上の利用可能性】
【００１１】
本考案は、水平方向に載置された丸太を法面に固定する以外にも、丸太を法面の傾斜方向に載置した場合の固定にも利用可能である。
【図面の簡単な説明】
【００１２】
【図１】本考案に係るアンカー用補助金具の一例を示す平面図である。
【図２】図１の左側面図である。
【図３】図１のＡ−Ａ線断面図である。
【図４】アンカー用補助金具を用いて丸太を固定した状態を示す断面図である。
【符号の説明】
【００１３】
１  アンカー用補助金具
２  アンカー挿通用の孔
３  楔部
４  孔
５  丸太
６  アンカー
７  Ｌ字形頭部
Ｎ  法面
【図１】
0003102740.tif 000003
【図２】
0003102740.tif 000004
【図３】
0003102740.tif 000005
【図４】
0003102740.tif 000006
【手続補正書】
【提出日】平成16年3月9日(2004.3.9)
【手続補正１】
【補正対象書類名】実用新案登録請求の範囲
【補正対象項目名】全文
【補正方法】変更
【補正の内容】
【実用新案登録請求の範囲】
【請求項１】
所定厚さの金属板により形成され、基端部中央にＬ字形アンカー挿通用の孔を穿設するとともに、先端部を略９０度折曲しその折曲部先端を鋭角形状に尖らせて楔部を形成し、かつ前記孔と前記先端部との間であってＬ字形アンカーの頭部との当接部にアンカー頭部が嵌合される孔を穿設したことを特徴とする丸太を法面に固定するアンカー用補助金具。
【請求項２】
請求項１に記載の丸太を法面に固定するアンカー用補助金具において、
前記アンカー頭部嵌合孔の形状を、先端部側がアンカー頭部の径よりもやや大きい幅の長方形とし基端部側が前記幅より次第に狭くなるテーパー形状とし該テーパー形状末端をテーパー形状に連続する半円形としたことを特徴とする丸太を法面に固定するアンカー用補助金具。